(57)【要約】      （修正有） 【課題】コインランドリー用洗濯機、乾燥機又は洗濯乾燥機の機器に有する各種機能を有効に活用するために、それに応じた必要な各種金額の支払いを可能とすると共に、この支払に対して必要な釣銭の受け渡しを可能とするコインランドリー用洗濯機、乾燥機又は洗濯乾燥機を提供する。【解決手段】コインランドリー用洗濯機、乾燥機又は洗濯乾燥機に投入した金銭に対しての釣銭の受け渡しを可能とする釣銭用排出口を有するコインランドリー用洗濯機、乾燥機又は洗濯乾燥機からなる。【選択図】図１
0003170915.tif 000002
【実用新案登録請求の範囲】
【請求項１】
少なくとも、コインランドリー用洗濯機、乾燥機又は洗濯乾燥機に投入した金銭に対しての釣銭の受け渡しを可能とする釣銭用排出口２を有することを特徴とするコインランドリー用洗濯機、乾燥機又は洗濯乾燥機。
【請求項２】
該機器には、コインを投入するコイン投入口３を有し、少なくとも複数種類のコインの投入を可能とすることを特徴とする請求項１記載のコインランドリー用洗濯機、乾燥機又は洗濯乾燥機。
【請求項３】
該機器には、紙幣を投入する紙幣投入口４を有することを特徴とする請求項１又は２のいずれかに記載のコインランドリー用洗濯機、乾燥機又は洗濯乾燥機。
【請求項４】
該機器には、釣銭用としての紙幣排出口６を有することを特徴とする請求項３記載のコインランドリー用洗濯機、乾燥機又は洗濯乾燥機。
【考案の詳細な説明】
【技術分野】
【０００１】
本考案は、コインランドリー用洗濯機、乾燥機又は洗濯乾燥機に関し、これらの機器を使用するに際してコイン及び／又は紙幣の使用ができ、かつ釣銭の受け渡しを可能とするコインランドリー用洗濯機、乾燥機又は洗濯乾燥機に関する。
【背景技術】
【０００２】
コインランドリーにおける洗濯機、乾燥機又は洗濯乾燥機は、その使用に際してこれらの機器を使用するのに必要とされるコインを投入し、これによって機器に電源などが入り使用できるものである。
特にコインランドリーにおいては提供者側の人手の関与を極力排除するために、必要な金額のコインを投入するに際して、特定のコインのみの使用を認め、お釣り等の必要の出ない簡素な構造が用いられているものである。
【０００３】
従って、例えば両替機などを近傍に設置し、これによって必要な特定のコインへの両替のみを可能とし、これを用いて洗濯機、乾燥機又は洗濯乾燥機へのコインの投入を行うものである。
従って極めて簡素な構造からなるものである。
特に投入コインの管理を図る各種構造は特開２０００−３９０号等(特許文献１)の例が存在する。
【０００４】
更に、例えば、特開平６−７５７３号（特許文献１）に示す構造が存在する。
これは多数の子機である洗濯機を一元に管理する親機を有し、親機にコインを投入することによって子機を稼働させるものであり、極めて複雑な構造を有する。
茲に示す構造においては、このような極めて複雑なシステムをとりながら、１００円玉と５０円玉のみを使用可能とし、釣銭等を一切考慮せずに必要な金額のみ投入する構造が示されている。
【０００５】
従って、コイン返却口のみを有する構造でしかない。
以上のようにそもそもコインランドリーにおいては、一定時間特定の作業を行うものであり、特定の金額の投入によって充分稼働することができることから、釣銭等を必要としないように特定のコインのみを使用するものとして現在にいたっている。
【先行技術文献】
【特許文献】
【０００６】
【特許文献１】特開２０００−３９０号
【特許文献２】特開平６−７５７３号
【考案の概要】
【考案が解決しようとする課題】
【０００７】
以上の様に、コインランドリーにおける洗濯機、乾燥機又は洗濯乾燥機に関しては、釣銭等の不要な構造となっているが、例えば街中に設置してあるコインランドリーのほか、病院やコンドミニアム、或いはホテル等の多数の人間の集まる場所等各種場所に設置されるものであり、特定のコインのみの使用しかできないと極めて不便であり、手持ちにない場合には機器の使用ができないことともなり得る。
【０００８】
又、前記の内容を推し進めるとコインに限らず紙幣による支払いを可能とする構造もどうしても必要となる。
従って、任意の支払い方法によって支払いを可能とし、必要な釣銭の受け渡しが可能となる構造が望まれるものである。
更には現在の洗濯機、乾燥機又は洗濯乾燥機は極めて多機能となっており、洗濯方法や洗濯時間のみならず濯ぎの方法・時間・乾燥の有無、乾燥の時間等も細かく指示できる構造を有するものとなっている。
【０００９】
例えば選択すべき衣服の種類や汚れの種類等によっても最適な機能を選定できる構造を有するものも存在する。
この様な極めて多機能な洗濯機、乾燥機又は洗濯乾燥機の使用に際して特定のコインのみで特定の金額の支払いのみを想定した場合には、これに対応する支払いの選定の幅が極めてせまくなり、使用者側のみならず提供者である管理側にとっても最適な選定ができなくなり、有用な多機能性を円滑の用いることができなくなってしまうものである。
【００１０】
従って、この様な場合においても任意の機能を発揮させるために必要となる金銭の支払いの方法の幅を広めることが必要となる。
以上より、各種の支払い方法を可能とするための支払い構造及びこれに対応する釣銭受け渡し機能を有するコインランドリー用洗濯機、乾燥機又は洗濯乾燥機が望まれるものである。
【課題を解決するための手段】
【００１１】
以上のように係る課題を見事に解決するため、請求項１に係る考案は、少なくとも、コインランドリー用洗濯機、乾燥機又は洗濯乾燥機に投入した金銭に対しての釣銭の受け渡しを可能とする釣銭用排出口を有するコインランドリー用洗濯機、乾燥機又は洗濯乾燥機からなり、係る考案によって前記課題を解決できる。
この他、請求項２に係る考案のように該機器には、コインを投入するコイン投入口を有し、少なくとも複数種類のコインの投入を可能とするコインランドリー用洗濯機、乾燥機又は洗濯乾燥機からなるものであって、係る考案を用いてもよい。
【００１２】
更に、請求項３に係る考案のようにコインランドリーにおける洗濯機、乾燥機又は洗濯乾燥機において、該機器には、紙幣を投入する紙幣投入口を有するコインランドリー用洗濯機、乾燥機又は洗濯乾燥機を用いるものでもよい。
この場合、特に請求項４に係る考案のようにコインランドリー用洗濯機、乾燥機又は洗濯乾燥機において、該機器には、釣銭用としての紙幣排出口を有するコインランドリー用洗濯機、乾燥機又は洗濯乾燥機を用いるものでもよいものである。
【考案の効果】
【００１３】
以上のように構成したことから、特定のコインのみならず各種コインが使用できるものであると共に必要に応じて紙幣なども使用できるものとなるものであって、手持ちの金銭を有効に使用することかができるものである。
従って、コインランドリーに人員の配置や両替機の設置等の必要がなくなるものである。
特に、洗濯機や乾燥機或いは洗濯乾燥機に関して有する各種機能をまんべんなく使用できるものとなり、それぞれの機能や時間に応じて適切な金額体系を用いることができるものとなる。
【００１４】
従って、使用者側は洗濯機や乾燥機或いは洗濯乾燥機の機能を充分に活用できると共に提供者側も各種使用に見合った収入を得ることができる。
特に請求項１に係る考案によれば、各種金額の支払いをした場合に、必要となる釣銭を授受できるものとなるものであり、使用者側の支払い金額が一定でない場合でも、或いは提供者側の設定した即ち機器の有する各種機能を発揮するコース等別の各種費用体系がある場合の支払いにも、差額の釣銭の支払いができ、これらに対して十分に対応できる。
【００１５】
次に請求項２に係る考案によれば支払いに際して各種金額のコインの投入が可能となり、支払いの便宜が図れるものである。
更に請求項３に係る考案によれば紙幣投入口を有するものであって、紙幣での支払いに対処できることとなり、又請求項４に係る考案によれば紙幣排出口を有し、紙幣での釣銭の受け渡しを可能とするものである。
【図面の簡単な説明】
【００１６】
【図１】本考案に係るコインランドリー用洗濯機、乾燥機又は洗濯乾燥機の一例を示す図
【図２】本考案に係るコインランドリー用洗濯機、乾燥機又は洗濯乾燥機の他の一例を示す図
【図３】本考案に係るコインランドリー用洗濯機、乾燥機又は洗濯乾燥機の他の一例を示す図
【考案を実施するための形態】
【００１７】
図１は、本考案に係るコインランドリーにおけるコインランドリー用洗濯機、乾燥機又は洗濯乾燥機の一例を示す図であり、特に本図では、洗濯機１０と乾燥機１１からなる該機器１に対して使用するための金銭の支払いに関して、該機器自１体にコインと紙幣の使用を可能とするものである。
従って、使用に際して別途、特定のコインを作るために例えば別途両替機等の機器を必要としないと共に、手持ちの各種コイン又は紙幣を用いても使用できるものとなる。
【００１８】
例えば１０円玉の使用等を可能とすると共に、必要とする金額以上の高額のコインや紙幣を用いた場合でも釣銭用排出口２から釣銭の受け渡しができるものである。
もとよりこの釣銭排出口２はコイン返却口としても使用できるものである。
更に、本図においてコイン投入口３と共に紙幣投入口４を有している。
コイン投入口４に関しては、特定の種類のコインのみの受け入れを可能とするものばかりではなく、特にいずれの種類のコインでも投入できるものであることが最適であるが、多用されている複数種類のコインの使用を可能とするものであってもよい。
【００１９】
この様に構成すれば手持ちのいずれのコインをも使用できるからである。
例えば５００円玉からなるコイン、１００円玉からなるコイン、５０円玉からなるコイン、１０円玉からなるコインの使用が可能であるコイン投入口を有し、この金銭の授受の確認ができるものであれば最適である。
もとより必要に際しては１円玉のコインや５円玉のコインを使用可能なものであってもちろんよい。
【００２０】
更に紙幣投入口４の場合、本図では１０００円札を用いた投入口を想定しているが、この他、他の金額の紙幣例えば２０００円札や５０００円札あるいは１００００円札を使用可能とするものでもよく、この場合には釣銭用としての紙幣排出口を別途有するものであることが必要である。
尚、各種機能の選別用のスイッチ類５が付いている。
又、本図においては、洗濯機１０の上部に乾燥機１１が載置されており、必要に応じて両方を使用するものでも、或いはいずれか片方のみを使用するものであってもよい。
【００２１】
或いはそもそも洗濯機１０のみを用いるものでも、或いは乾燥機１１だけを用いるものであって、それぞれだけからなるものであってももちろんよい。
尚、これらの釣銭排出口２、コイン投入口３、紙幣投入口４は、本機器自体に有しているものであっても本図のように金銭授受用の機能を有する部分を該機器に配設したものであってもよい。
【００２２】
尚、本考案においてコインランドリー用の洗濯機、乾燥機又は洗濯乾燥機は、街中にある店舗等のみならずホテルや旅館或いはコンドミニアム等の宿泊施設或いは休憩施設、病院、学校、各種運動施設やその他の施設或いは人の多く集まる場所に設置して、コイン等の金銭の支払いをもって一定時間の間、洗濯機・乾燥機・洗濯乾燥機或いはこれに類し同視し得る機器を使用できるものを意味するものである。
【００２３】
次に図２は、本考案に係るコインランドリーにおける洗濯機、乾燥機又は洗濯乾燥機の一例を示す図であり、特に本図では、洗濯乾燥機１２からなる機器１にコインと紙幣の使用を可能とするものである。
この場合にも図１と同様、別途両替機等の設置を必要としないと共に、手持ちのコイン又は紙幣を用いても使用できるものであり、コイン投入口３と共に紙幣投入口４を有していると共に釣銭用の釣銭用排出口２を有している。
【００２４】
従って、必要以上の高額のコインや紙幣を用いた場合でも釣銭用排出口２から釣銭の受け渡しができるものである。
又前記と同様必要な場合には別途釣銭用としての紙幣排出口を有するものであってもよい。
更に本図に示す構成は洗濯乾燥機１２の上部にパネル部１３を有しており、茲に洗濯乾燥に関する各種コースが明示されているものである。
従って、それぞれコースに応じて必要な費用の明示があり、この各コースから任意のコースを選択して、希望の洗濯乾燥を行うことができる。
【００２５】
この選択によって必要な金額が決まるものであり、その選択に必要な金額をコイン投入口３と紙幣投入口４とを用いて支払いを行い、更にその支払いに対して必要な釣銭を釣銭用排出口２より排出するものである。
これらは例えば図示する各種機能の選別用のスイッチ類５により選別でき、任意の希望機能を有するコースの選定が可能である。
尚、釣銭の排出に際してはホッパーを有することが望ましい。
【００２６】
これにより釣銭をまとめて一度に排出口に排出できる。
但し、この機構を有さないものであってももちろんよい。
次に図３は、紙幣排出口６を有する一例を示す。
この様に構成することにより紙幣の釣銭の受け渡しを可能とするものであり、支払いの範囲を例えば１００００円札や５０００円札あるいは２０００円札などでの支払いに際しての紙幣を用いて釣銭支払いができるものとなる。
【００２７】
以上のように本考案に係るコインランドリー用洗濯機、乾燥機又は洗濯乾燥機を用いることにより、使用時に手持ちのコイン又は紙幣をもって支払いが行え、かつお釣りの受け渡しもできることとなる。
例えば病院等においてそれほど小銭類を多数持ち歩かなくとも、任意の紙幣やコインの使用ができ、極めて使い勝手の良いコインランドリーにおける洗濯機、乾燥機又は洗濯乾燥機の提供ができることとなる画期的な考案である。
【符号の説明】
【００２８】
１    コインランドリー用洗濯機、乾燥機又は洗濯乾燥機
１０    洗濯機
１１    乾燥機
１２    洗濯乾燥機
１３    パネル部
２    釣銭用排出口
３    コイン投入口
４    紙幣投入口
５    スイッチ
６    紙幣排出口
【図１】
0003170915.tif 000003
【図２】
0003170915.tif 000004
【図３】
0003170915.tif 000005